(57)【要約】【課題】印画装置を複雑な構造にすることなく、複数種類のプリカットパターンに対応することができる印画装置及びシール紙を提供する。【解決手段】印画シート７には、情報表示部２０，２０間の領域にそれぞれ剥離部２１〜２４が設けられている。センサ１１で情報表示部２０を読み取る。制御装置１０は読み取った情報に対応した印画データを読み出し、これに基づいてサーマルヘッド１、プラテンロール２及び熱転写シート５等よりなるプリンタによって剥離部２１〜２４に印画する。【選択図】図１
2020049748.tif 000002
【特許請求の範囲】
【請求項１】
基材シートと、前記基材シートに剥離可能に貼合された表面シートとを有し、一方向に延在し、前記表面シートには厚み方向の切込みにより複数の剥離部が設けられているシール紙の前記剥離部に印画する印画装置であって、
前記シール紙には、前記一方向に間隔をおいて情報表示部が設けられており、
前記情報表示部は、少なくとも１つの開口よりなり、
各情報表示部に対応した前記シール紙上の各領域にそれぞれ前記剥離部が配置されており、
前記印画装置は、
前記シール紙を前記一方向に送る搬送装置と、
前記搬送装置で搬送される前記シール紙の前記情報表示部から情報を読み取る情報読み取り装置と、
前記剥離部に印画するプリント装置と、
前記プリント装置を制御する制御装置とを有しており、
前記制御装置は、前記情報表示部の情報に対応した前記剥離部のパターンを表すデータを記憶する記憶手段を有しており、前記情報読み取り装置で読み取った情報に対応するデータに従って前記プリント装置を制御することを特徴とするシール紙の印画装置。
【請求項２】
前記情報読み取り装置は、
前記シール紙の一方の側に配置され、前記シール紙に向って発光する発光素子と
前記シール紙の他方の側に配置され、前記開口を通過した前記発光素子からの光を受光する受光素子と
を有することを特徴とする請求項１に記載の印画装置。
【請求項３】
少なくとも１つの前記領域は、他の領域と、
剥離部の形状、
剥離部の数、
剥離部の大きさ、及び
剥離部の配置
の少なくとも１つが異なることを特徴とする請求項１又は２に記載の印画装置。
【請求項４】
少なくとも一部の前記開口は、前記一方向に延在する長開口であり、
前記印画装置は、前記長開口の両端部において前記シール紙を幅方向に切断してプリント枚葉とするカッターを有することを特徴とする請求項１〜３のいずれか１項に記載の印画装置。
【請求項５】
基材シートと、前記基材シートに剥離可能に貼合された表面シートとを有し、前記表面シートには、厚み方向の切込みにより複数の剥離部が設けられており、一方向に延在しているシール紙において、
前記一方向に間隔をおいて情報表示部が設けられており、
前記情報表示部は、少なくとも１つの開口よりなり、
各情報表示部に対応した前記シール紙上の各領域にそれぞれ前記剥離部が配置されており、
少なくとも一部の前記情報表示部は、他の情報表示部と、開口の数が異なるか、又は前記一方向の開口長さが異なる開口を有することを特徴とするシール紙。
【請求項６】
少なくとも１つの前記領域は、他の領域と、
剥離部の形状、
剥離部の数、
剥離部の大きさ、及び
剥離部の配置
の少なくとも１つが異なることを特徴とする請求項５に記載のシール紙。
【請求項７】
少なくとも一部の前記開口は、前記一方向に延在することを特徴とする請求項５又は６に記載のシール紙。
【請求項８】
前記一方向において、一部の前記情報表示部同士の間に、前記一方向に延在する開口が設けられていることを特徴とする請求項５ないし７のいずれか１項に記載のシール紙。
【請求項９】
前記一方向において、前記情報表示部同士を結ぶ方向に延在するミシン目が設けられていることを特徴とする請求項５ないし７のいずれか１項に記載のシール紙。
【請求項１０】
前記ミシン目の長手方向の両端に、前記ミシン目に向って開口幅が小さくなる形状の開口がそれぞれ配置されていることを特徴とする請求項９に記載のシール紙。
【請求項１１】
基材シートと、前記基材シートに剥離可能に貼合された表面シートとを有し、前記表面シートには、厚み方向の切込みにより複数の剥離部が設けられており、一方向に延在しているシール紙において、
前記一方向に間隔をおいて情報表示部が設けられており、
前記情報表示部は、少なくとも１つの開口よりなり、
各情報表示部に対応した前記シール紙上の各領域にそれぞれ前記剥離部が配置されており、
前記情報表示部に含まれる開口の１つが、前記領域の全体にわたって前記一方向に延在していることを特徴とするシール紙。
【発明の詳細な説明】
【技術分野】
【０００１】
本発明は、シール紙に印画する印画装置に関する。また、本発明は、シール型熱転写受像シートとして好適なシール紙に関する。
【背景技術】
【０００２】
感熱溶融転写方式、感熱昇華転写方式といった熱転写記録法は、パーソナルコンピュータ用プリンタやビデオプリンタ等として広く普及している。特に感熱昇華転写方式は、銀塩写真に匹敵する優れた濃度階調表現性を有することから、電子カメラやビデオカメラで撮影した人物写真等のプリントにも適用されている。
【０００３】
熱転写記録法により画像を形成した熱転写受像シートの用途は多岐にわたり、代表的な例としては、印刷の校正刷り、画像の出力、ＣＡＤ／ＣＡＭなどによる設計やデザインの出力、ＣＴスキャンや内視鏡カメラなどの各種医療用分析機器、測定器などの出力の記録用途、インスタント写真の代替、身分証明書やＩＤカード、クレジットカードその他カード類への顔写真などの出力、更に遊園地、ゲームセンター、博物館、水族館などのアミューズメント施設における合成写真、記念写真などがある。
【０００４】
このような用途の多様化に伴い、画像形成後、任意の貼着対象物に貼り付けることができるシール型熱転写受像シートも提供されている。例えば、画像を形成する受容層と基材層よりなる表面シートが粘着剤層を介して離型性の基材シートに貼合されたシール型熱転写受像シートは、受容層に画像を転写した後、剥離部で剥離し、任意の対象物に粘着剤層で貼り付けることができる。
【先行技術文献】
【特許文献】
【０００５】
【特許文献１】特開平７−４０４７６号公報
【特許文献２】特開平１０−２４４７７０号公報
【発明の概要】
【発明が解決しようとする課題】
【０００６】
ロール紙式の昇華型プリンタは、印画スピードや完全なドライ処理、幅広い印画サイズへの対応能力などの利点を活かして様々な場面で活用されている。プリント物への付加価値性を高めたものとして、ステッカー用紙へのプリントでもビジネスが行われている。ステッカー用紙は、おもに粘着剤が付与されたステッカー紙とそれを支持するための裏紙が一体になったものが巻かれてロール紙が作成されている。さらに、ユーザーが使いやすようにステッカー部分が様々な形にプリカットされているものもある。
【０００７】
プリカットの形状に合わせて印画を行うために、ペーパーに位置検知用の穴が設けられることがある。
【０００８】
プリンタはこの穴を光透過センサ等で検知し、プリカット形状に合わせられた画像を印画する。
【０００９】
プリカットパターンの位置検出を行う方法としては、ペーパーの表ないし裏側にマーキングを印刷する方法も考えられる。しかし、ペーパーにプリカットをする際に同じ工程でペーパーに検知穴をあけることができ、製造費用の大きなコストアップをすることなく位置だしの目的を果たせることができるので、この方法が最も合理的であると考えられる。
【００１０】
ただし、この方法では１種類のプリカット形状にしか対応できない。
【００１１】
そこで、本発明は、印画装置を複雑な構造にすることなく、複数種類のプリカットパターンに対応することができる印画装置及びシール紙を提供することを目的とする。
【課題を解決するための手段】
【００１２】
本発明の印画装置は、基材シートと、前記基材シートに剥離可能に貼合された表面シートとを有し、一方向に延在しているシール紙の前記剥離部に印画する印画装置であって、前記表面シートには、厚み方向の切込みにより複数の剥離部が設けられている印画装置において、前記シール紙には、前記一方向に間隔をおいて情報表示部が設けられており、前記情報表示部は、少なくとも１つの開口よりなり、各情報表示部に対応した前記シール紙上の各領域にそれぞれ前記剥離部が配置されており、前記印画装置は、前記シール紙を前記一方向に送る搬送装置と、前記搬送装置で搬送される前記シール紙の前記情報表示部から情報を読み取る情報読み取り装置と、前記剥離部に印画するプリント装置と、前記プリント装置を制御する制御装置とを有しており、前記制御装置は、前記情報表示部の情報に対応した印画データを記憶する記憶手段を有しており、前記情報読み取り装置で読み取った情報に対応する印画データに従って前記プリント装置を制御することを特徴とする。
【００１３】
本発明の印画装置の一態様では、前記情報読み取り装置は、前記シール紙の一方の側に配置され、前記シール紙に向って発光する発光素子と前記シール紙の他方の側に配置され、前記開口を通過した前記発光素子からの光を受光する受光素子とを有する。
【００１４】
本発明の印画装置の一態様では、少なくとも１つの前記領域は、他の領域と、剥離部の形状、剥離部の数、剥離部の大きさ、及び剥離部の配置の少なくとも１つが異なる。
【００１５】
本発明の印画装置の一態様では、少なくとも一部の前記開口は、前記一方向に延在する長開口であり、前記印画装置は、前記長開口の両端部において前記シール紙を幅方向に切断してプリント枚葉とするカッターを有する。
【００１６】
本発明のシール紙は、基材シートと、前記基材シートに剥離可能に貼合された表面シートとを有し、前記表面シートには、厚み方向の切込みにより複数の剥離部が設けられており、一方向に延在しているシール紙において、前記一方向に間隔をおいて情報表示部が設けられており、前記情報表示部は、少なくとも１つの開口よりなり、各情報表示部に対応した前記シール紙上の各領域にそれぞれ前記剥離部が配置されており、少なくとも一部の前記情報表示部は、他の情報表示部と、開口の数が異なるか、又は前記一方向の開口長さが異なる開口を有する。
【００１７】
本発明のシール紙の一態様では、少なくとも１つの前記領域は、他の領域と、剥離部の形状、剥離部の数、剥離部の大きさ、及び剥離部の配置の少なくとも１つが異なる。
【００１８】
本発明のシール紙の一態様では、少なくとも一部の前記開口は、前記一方向に延在する。
【００１９】
本発明のシール紙の一態様では、前記一方向において、一部の前記情報表示部同士の間に、前記一方向に延在する開口が設けられている。
【００２０】
本発明のシール紙の一態様では、前記一方向において、前記情報表示部同士を結ぶ方向に延在するミシン目が設けられている。
【００２１】
本発明のシール紙の一態様では、前記ミシン目の長手方向の両端に、前記ミシン目に向って開口幅が小さくなる形状の開口がそれぞれ配置されている。
【００２２】
本発明のシール紙は、基材シートと、前記基材シートに剥離可能に貼合された表面シートとを有し、前記表面シートには、厚み方向の切込みにより複数の剥離部が設けられており、一方向に延在しているシール紙において、前記一方向に間隔をおいて情報表示部が設けられており、前記情報表示部は、少なくとも１つの開口よりなり、各情報表示部に対応した前記シール紙上の各領域にそれぞれ前記剥離部が配置されており、前記情報表示部に含まれる開口の１つが、前記領域の全体にわたって前記一方向に延在している。
【発明の効果】
【００２３】
本発明の印画装置及びシール紙では、情報表示部の情報に従って剥離部に印画することができる。例えば、剥離部の形状や大きさ、数、配置などが情報表示部同士の間の各領域で異なっている場合でも、各剥離部にそれぞれ印画を行うことができる。
【図面の簡単な説明】
【００２４】
【図１】実施の形態に係る印画装置の概略的な側面図である。
【図２】実施の形態に係るシール紙の斜視図である。
【図３】図２のIII−III線断面図である。
【図４】実施の形態に係るシール紙の斜視図である。
【図５】実施の形態に係るシール紙の一部の平面図である。
【図６】実施の形態に係るシール紙の斜視図である。
【図７】実施の形態に係るシール紙の斜視図である。
【図８】開口とセンサ出力との相関図である。
【図９】開口の形状説明図である。
【図１０】実施の形態に係るシール紙の斜視図である。
【図１１】開口及びミシン目の形状説明図である。
【図１２】開口及びミシン目の形状説明図である。
【図１３】実施の形態に係るシール紙の斜視図である。
【図１４】開口の形状説明図である。
【発明を実施するための形態】
【００２５】
以下、本発明の実施の形態を図面に基づいて説明する。
【００２６】
図１は本発明の実施の形態に係る印画装置（この実施の形態では熱転写印画装置）の概略構成図であり、図２は熱転写印画装置で使用されるシール紙としての印画シートの斜視図、図３は図２のIII−III線断面図である。この熱転写印画装置は、印画シート７にイエロー、マゼンタ、シアンを昇華転写して、画像を印画する。
【００２７】
熱転写印画装置は、イエロー染料を含むＹ層、マゼンタ染料を含むＭ層、シアン染料を含むＣ層、及び表面保護（ＯＰ）層が面順次に設けられた熱転写シート５を用いて、印画シート７の剥離部２１〜２４にＹ、Ｍ、Ｃを昇華転写させて画像（文字を含む。）を印画し、画像上に保護層を形成するサーマルヘッド１を備えている。この熱転写シート５及びサーマルヘッド１は周知のものである。
【００２８】
サーマルヘッド１の下流側に、熱転写シート５を巻き付けて形成された熱転写シート供給部３が設けられ、サーマルヘッド１の上流側に熱転写シート回収部４が設けられている。熱転写シート供給部３から繰り出された熱転写シート５は、サーマルヘッド１を通って、熱転写シート回収部４に回収されるようになっている。
【００２９】
サーマルヘッド１の下方側には回転自在なプラテンロール２が設けられている。サーマルヘッド１及びプラテンロール２を含む印画部１４は、印画シート７及び熱転写シート５を挟み込み、熱転写シート５を加熱して印画シート７上にインクを熱転写することで画像を形成する。
【００３０】
サーマルヘッド１の上流側には、印画シート７の搬送を行うための回転駆動自在なキャプスタンローラ９ａと、キャプスタンローラ９ａとの間で印画シート７を挟圧するピンチローラ９ｂが設けられている。
【００３１】
サーマルヘッド１の上流側には、印画シート７に形成された後述する情報表示部２０（図２参照）を検知する情報読み取り装置としての光学センサ１１が設けられている。
【００３２】
印画シート７は、印画紙ロール６に巻き付けられており、印画紙ロール６から繰り出される。印画紙ロール６、キャプスタンローラ９ａ、及びピンチローラ９ｂを含む駆動部１３により印画シート７の繰り出し（前方側への搬送）や巻取り（後方側への搬送）が行われる。
【００３３】
制御装置１０は、熱転写印画装置の各部の駆動を制御し、印画処理を行う。印画処理では、まず、印画シート７とＹ層とが位置合わせされ、印画シート７及び熱転写シート５を介してサーマルヘッド１がプラテンロール２に当接する。次に、キャプスタンローラ９ａ及び熱転写シート回収部４が回転駆動して、印画シート７及び熱転写シート５が後方側へ送られる。この間、画像データに基づいて、サーマルヘッド１によりＹ層の領域が選択的に順次加熱され、熱転写シート５から印画シート７上にＹが昇華転写される。
【００３４】
Ｙの昇華転写後、サーマルヘッド１が上昇し、プラテンロール２から離れる。次に、印画シート７とＭ層とが位置合わせされる。この場合、印画シート７はプリントサイズに相当する距離だけ前方側へ送られるとともに、熱転写シート５はＹ層とＭ層との間のマージンに相当する距離だけ後方側へ送られる。
【００３５】
Ｙを昇華転写する方法と同様にして、印画シート７上にＭ及びＣが順次昇華転写され、印画シート７の所定部分上に画像が形成される。次に、サーマルヘッド１により画像全体にＯＰ層が転写されて、保護層が形成される。
【００３６】
その後、印画シート７は下流側でカッター８により幅方向に切断され、プリント枚葉７ａとして切り出される。プリント枚葉７ａは、図示を省略する排出口から排出される。印画処理では、１組のインク層を用いて、１画面（１枚のプリント枚葉７ａ）分の印画シート７に対して色材を転写して画像を形成する。
【００３７】
図３の通り、印画シート７は、基材シート７１と表面シート７３とを粘着剤層７２で積層一体化したものであり、表面シート７３には、厚み方向に粘着剤層７２から基材シート７１の表面上に達する切込み（ハーフカット）７４により剥離部２１〜２４が形成されている。
【００３８】
この実施の形態では、情報表示部２０，２０間の各領域Ｌにそれぞれ剥離部２１，２２，２３，２４がこの順で印画シート７の一側辺から他側辺に向って配列されている。剥離部２１，２２は略長方形状であり、剥離部２３は略楕円形状である。これらの剥離部２１，２２，２３は、各領域Ｌにおいて、印画シート７の長手方向に２個ずつ配列されている。剥離部２４は、印画シート７の長手方向に延在する細長い長方形状であり、各領域Ｌに１個だけ設けられている。
【００３９】
なお、図２では、印画シートのロール状部分では、剥離部２１〜２４及び情報表示部２０の図示が省略されているが、実際には、ロール状部分にも剥離部２１〜２４及び情報表示部３０が同様に設けられている。
【００４０】
剥離部の形状、大きさ、配列は図２に限定されるものではなく、後述の各図に図示のものやその他のものとされてもよい。
【００４１】
情報表示部２０は、この実施の形態では、略長方形の１個の開口２０ａによって構成されている。
【００４２】
センサ１１は、印画シート７の一方の側に配置された発光素子と、他方の側に配置された受光素子とを備えている。開口２０ａが発光素子と受光素子との間を通過するときに受光素子の受光レベルがＨとなり、開口２０ａの長さ（印画シート７長手方向の長さ。以下、同様）に応じたパルス幅のパルス信号がセンサ１１から出力される。
【００４３】
制御装置１０の記憶部には、図２に示す剥離部２１〜２４のパターン（位置、形状及び大きさ）を表わすデータと、各剥離部２１〜２４に印画すべき画像のデータとからなる印画データが、情報表示部２０と対応づけられて記憶されている。また、記憶部には、他の種類の情報表示部のデータに対応づけられた印画データが記憶されている。
【００４４】
センサ１１より、情報表示部２０に対応したパルス信号が入力されると、制御装置１０は、入力信号に対応する印画データを記憶部から読み出し、この印画データに従って印画を行う。これにより、各剥離部２１〜２４には、図２のプリント枚葉７ａに図示されるような、固有の画像が印画される。プリント枚葉７ａから、印画された剥離部２１〜２４を剥離して目的対象物に貼付することができる。
【００４５】
図４は、シート長手方向において近接配置された２個の開口２０ａによって構成された情報表示部２０Ａを有した印画シート７Ａを示している。情報表示部２０Ａ，２０Ａ間の各領域には、剥離部２５〜３２が設けられている。
【００４６】
剥離部２５〜２８は、長方形状である。剥離部３０は円形であり、シート長手方向に３個設けられている。剥離部２９，３１，３２は細長い長方形状である。
【００４７】
情報表示部２０Ａがセンサ１１を通過するときには、開口２０ａ，２０ａに対応した２個のパルス信号が出力される。制御装置１０では、この信号に対応した印画データを記憶部から読み出し、各剥離部２５〜３２に印画を行う。
【００４８】
他の構成の情報表示部を有した印画シートの一例を図５に示す。図５（ａ）の印画シート７Ｂの情報表示部２０Ｂは、３個の開口２０ａによって構成されている。図５（ｂ）の印画シート７Ｃの情報表示部２０Ｃは、１個の開口２０ａと、開口２０ａよりも開口長さが大きい１個の開口２０ｂとで構成されている。図５（ｃ）の印画シート７Ｄの情報表示部２０Ｄは、さらに開口長さが大きい１個の開口２０ｃによって構成されている。
【００４９】
各情報表示部２０Ｂがセンサ１１を通過するときには、情報表示部２０Ｂからは３個のパルス信号が出力され、情報表示部２０Ｃからはパルス幅の小さいものと大きいものとの２個のパルス信号が出力され、情報表示部２０Ｄからはパルス幅がさらに大きい１個のパルス信号が出力される。
【００５０】
このように、情報表示部の開口の数、長さを変えたり、組み合わせたりすることにより、多数種類の剥離部パターンを表示することができる。
【００５１】
印画シートが１種類のパターンの剥離部を有するときには、印画シートは１種類の情報表示部が設けられる。印画シートが２種類以上のパターンの剥離部を有するときには、それに対応した種類数の情報表示部が印画シートに設けられる。
【００５２】
その一例を図６に示す。図６の印画シート７Ｅは、３個の開口２０ａよりなる情報表示部２０Ｂと、２個の開口２０ａよりなる情報表示部２０Ａとが印画シート長手方向に交互に設けられている。
【００５３】
情報表示部２０Ａが前方側に配置され、情報表示部２０Ｂが後方側に配置された領域では、前述の図４に示したパターンの剥離部２５〜３２が設けられている。
【００５４】
情報表示部２０Ｂが前方側に配置された、情報表示部２０Ａが後方側に配置された領域では、剥離部３３〜３７が設けられている。
【００５５】
なお、図６では、情報表示部２０Ａの一部が領域ＬＡに入り込み、情報表示部２０Ｂの一部が領域ＬＢに入り込んでいる。この場合、情報表示部２０Ｂが領域ＬＡの印画データを示し、情報表示部２０Ａが領域ＬＢの印画データを示すものとするように制御装置１０の制御プログラムが設定される。
【００５６】
本発明では、情報表示部の少なくとも一部を構成する開口を、領域Ｌのほぼ全体にわたって印画シート長手方向に延在するものとしてもよい。その一例に係る印画シート７Ｆを図７に示す。
【００５７】
この印画シート７Ｆでは、情報表示部２０Ｆは、長さの小さい開口２０ａと、開口長さが大きい開口２０ｆとからなる。この情報表示部２０Ｆがセンサ１１を通過するときには、図８に示すように、パルス幅の小さい第１パルス（ａ）と、パルス幅が大きい第２パルス（ｂ）とを有する信号が出力される。
【００５８】
制御装置１０は、この信号に対応して、印画シート７Ｆの各剥離部４０〜４７に印画を行う。
【００５９】
この実施の形態では、開口２０ｆは切断予定線Ｃ１，Ｃ２を跨いで延在している。そのため、印画終了後、切断予定線Ｃ１，Ｃ２に沿って印画シート７Ｆを切断すると、プリント枚葉７ａは、半割体７ａ’，７ａ”に分割される。
【００６０】
図７では、情報表示部２０Ｆは開口２０ａと開口２０ｆとの組み合わせよりなるものであるが、図９（ａ）のように１個の細長い開口２０ｆのみからなるものであってもよく、図９（ｂ）のように２個の開口２０ａ，２０ａと１個の開口２０ｆとからなるものであってもよく、図９（ｃ）のように１個のやや長い開口２０ｂと１個の開口２０ｆとからなるものであってもよい。図９（ｄ）のように、細長い開口の一端（又は両端）を幅大とした開口２０ｇであってもよく、図９（ｅ）のように開口の長手方向の両端（又は一端）を略半円弧形とした開口２０ｈであってもよい。
【００６１】
細長い開口の代りに図１０の印画シート７Ｇのように、ミシン目５０を設けてもよい。ミシン目５０の両端には、図１１に拡大して示すように、ミシン目５０に向って開口幅が次第に小さくなる尖頭形状部を有した開口２０ｉ，２０ｊが設けられている。開口２０ｉによって、又は開口２０ｉ，２０ｊにより情報表示部２０Ｇが構成されている。
【００６２】
なお、図１０では、図７のパターンの剥離部４０〜４７が設けられているが、他のパターンの剥離部が設けられてもよい。
【００６３】
この印画シート７Ｇを切断予定線Ｃ１，Ｃ２に沿って切断して得られたプリント枚葉７ａにあっては、ミシン目５０が横断するように設けられている。また、開口２０ｉ，２０ｊの尖頭形状部に由来するノッチ５１がミシン目５０の両端のプリント枚葉７ａ両側辺に形成される。このため、このプリント枚葉７ａは、ミシン目５０に沿って容易に２体に切り離すことができる。
【００６４】
上記の開口２０ｉ，２０ｊは五角形であるが、開口２０ｉ，２０ｊはミシン目に向って幅が小さくなるものであればよく、図１２（ａ）のような三角形や、図１２（ｂ）のような半円形等であってもよい。
【００６５】
図１２（ｃ）のように、直近の開口２０ｉ，２０ｊ間にもミシン目５０を設けてもよい。
【００６６】
上記実施の形態では、情報表示部はほぼ方形、三角形、五角形又はそれに近似した形状となっているが、図１３，１４に示すように、その他の形状の情報表示部を設けてもよい。図１３の印画シート７Ｈの情報表示部２０Ｈは、略台形であり、かつ台形の底辺に相当する部分が台形の内側に入り込んだ凹形状となっている。図１４（ａ），（ｂ）はそれぞれ数字「１」又は「２」を模した情報表示部形状を示している。
【００６７】
図１４（ｃ），（ｄ），（ｅ），（ｆ），（ｇ）は、それぞれアルファベットの大文字を模した情報表示部形状示しており、（ｃ）は「Ａ」、（ｄ），（ｅ）は「Ｂ」、（ｆ），（ｇ）は「Ｃ」を模したものとなっている。
【００６８】
数字やアルファベットは表意文字であるので、図１４のように、これらを模した情報表示部は視覚的に他の情報表示部と識別し易く、情報表示部と対応する剥離部パターンを印画シート取扱者が容易に知ることができる。また、数字やアルファベット、その他の文字、図形、記号等を模した情報表示部は意匠性にも優れる。
【００６９】
上記実施の形態は本発明の一例であり、本発明は上記以外の態様とされてもよい。
【符号の説明】
【００７０】
１  サーマルベッド
５  熱転写シート
７，７Ａ〜７Ｈ  印画シート（シール紙）
１０  制御装置
１１  光学センサ
２０，２０Ａ〜２０Ｄ，２０Ｆ〜２０Ｈ  情報表示部
２０ａ〜２０ｊ  開口
２１〜３７，４０〜４７  剥離部
５０  ミシン目
７１  基材シート
７２  粘着剤層
７３  表面シート
７４  切込み
【図１】
2020049748.tif 000003
【図２】
2020049748.tif 000004
【図３】
2020049748.tif 000005
【図４】
2020049748.tif 000006
【図５】
2020049748.tif 000007
【図６】
2020049748.tif 000008
【図７】
2020049748.tif 000009
【図８】
2020049748.tif 000010
【図９】
2020049748.tif 000011
【図１０】
2020049748.tif 000012
【図１１】
2020049748.tif 000013
【図１２】
2020049748.tif 000014
【図１３】
2020049748.tif 000015
【図１４】
2020049748.tif 000016